(57)【要約】【課題】端子のアライニングとコネクタの小型化を両立させる。【解決手段】本発明の機器用コネクタ１０は、機器のケース３０に貫通して設けられた取付孔３３に嵌合するハウジング１１と、ハウジング１１の内部に貫通して設けられた端子遊挿孔１２と、芯線２０Ａが被覆２０Ｂで覆われてなる電線２０における芯線２０Ａの端末に接続された端子２１と、被覆２０Ｂに固定され、電線２０とともに端子遊挿孔１２に挿入されるリテーナＲと、端子遊挿孔１２の内部に設けられ、リテーナＲに対して端子遊挿孔１２の軸方向における前方から係止する抜止突起５３と、端子遊挿孔１２の内部に設けられ、リテーナＲに対して端子遊挿孔１２の軸方向における後方から係止する前止まり部５４とを備えた構成としたところに特徴を有する。【選択図】図１
2010225371.tif 000002
【特許請求の範囲】
【請求項１】
機器のケースに貫通して設けられた取付孔に嵌合するハウジングと、
前記ハウジングの内部に貫通して設けられた貫通孔と、
芯線が被覆で覆われてなる電線における前記芯線の端末に接続された端子と、
前記被覆に固定され、前記電線とともに前記貫通孔に挿入されるリテーナと、
前記貫通孔の内部に設けられ、前記リテーナに対して前記貫通孔の軸方向における一方側から係止する第１係止部と、
前記貫通孔の内部に設けられ、前記リテーナに対して前記貫通孔の軸方向における他方側から係止する第２係止部とを備えたことを特徴とするコネクタ。
【請求項２】
前記貫通孔の軸方向を前後方向として前記ケースの内部側を前側とし前記ケースの外部側を後側としたときに、前記第１係止部は、前記貫通孔の内周面から突出して設けられた抜止突起であり、この抜止突起は、前記リテーナに対して前方から係止することを特徴とする請求項１に記載のコネクタ。
【請求項３】
前記貫通孔の軸方向を前後方向として前記ケースの内部側を前側とし前記ケースの外部側を後側としたときに、前記第２係止部は、前記貫通孔の後端開口に装着されるゴム栓の前止まりを行う前止まり部の前端部に形成され、この前止まり部は、前記リテーナに対して後方から係止することを特徴とする請求項１または請求項２に記載のコネクタ。
【請求項４】
前記端子に設けられ、前記貫通孔の端部開口から前記ケースの内部に突出する機器側接続片と、
前記機器側接続片を遊挿状態で挿通させる端子挿通孔を有し、前記貫通孔の端部開口に装着されるカバーとを備えたことを特徴とする請求項１ないし請求項３のいずれか一項に記載のコネクタ。
【発明の詳細な説明】
【技術分野】
【０００１】
本発明は、機器のケースに貫通して設けられた取付孔に嵌合するコネクタに関する。
【背景技術】
【０００２】
この種のコネクタとして、例えば下記特許文献１および２に記載のコネクタが知られている。特許文献１に記載のコネクタは、ハウジングの内部に端子収容孔が貫通して形成された構成であり、電線の端末に接続された端子が端子収容孔に収容されている。端子収容孔の内部には、ランスが形成されている。一方、端子には、ランスと係止することで端子が遊動可能に抜け止めされるランス係止孔が形成されている。このようにすると、端子のアライニング、すなわち機器側の端子台の位置に合わせて端子を適切な姿勢に調整できるというメリットがある。
【０００３】
一方、特許文献２に記載のコネクタは、端子と一体にモールド成形されたモールド部を備えており、このモールド部がケースの取付孔に嵌合するようになっている。このようにすると、ランスを形成しなくてもよいから、コネクタを小型化できるというメリットがある。
【先行技術文献】
【特許文献】
【０００４】
【特許文献１】特開２００２−３１３４９６号公報
【特許文献２】特開２００８−２６９８５８号公報
【発明の概要】
【発明が解決しようとする課題】
【０００５】
しかしながら、モールド成形によってコネクタを小型化できたとしても、モールド部を取付孔に嵌合する構成では、端子を遊動可能に抜け止めできなくなる。したがって、端子が不正な姿勢のまま機器側の端子台に対して強制的に接続され、端子に過大な負荷がかかってしまう。つまり、端子のアライニングとコネクタの小型化とは相容れない課題であって、その両立は困難である。
【０００６】
本発明は上記のような事情に基づいて完成されたものであって、端子のアライニングとコネクタの小型化を両立させることを目的とする。
【課題を解決するための手段】
【０００７】
本発明のコネクタは、機器のケースに貫通して設けられた取付孔に嵌合するハウジングと、ハウジングの内部に貫通して設けられた貫通孔と、芯線が被覆で覆われてなる電線における芯線の端末に接続された端子と、被覆に固定され、電線とともに貫通孔に挿入されるリテーナと、貫通孔の内部に設けられ、リテーナに対して貫通孔の軸方向における一方側から係止する第１係止部と、貫通孔の内部に設けられ、リテーナに対して貫通孔の軸方向における他方側から係止する第２係止部とを備えた構成としたところに特徴を有する。
【０００８】
このような構成によると、リテーナに第１係止部と第２係止部を係止させることにより、リテーナが貫通孔の軸方向に移動することが規制される。また、このリテーナに対して電線の被覆が固定されているため、電線が貫通孔の軸方向に抜け止めされる結果、端子を抜け止めできる。したがって、従来のようにランスやランス係止孔を設けなくてもよく、コネクタを小型化できる。さらに、電線は可撓性を有し、端子を遊動可能に抜け止めできるから、端子のアライニングが可能である。
【０００９】
本発明の実施の態様として、以下の構成が好ましい。
貫通孔の軸方向を前後方向としてケースの内部側を前側としケースの外部側を後側としたときに、第１係止部は、貫通孔の内周面から突出して設けられた抜止突起であり、この抜止突起は、リテーナに対して前方から係止する構成としてもよい。
このような構成によると、ハウジングを成形する際に抜止突起を形成することができ、この抜止突起をリテーナに対して前方から係止させるという簡易な構成にできる。
【００１０】
貫通孔の軸方向を前後方向としてケースの内部側を前側としケースの外部側を後側としたときに、第２係止部は、貫通孔の後端開口に装着されるゴム栓の前止まりを行う前止まり部の前端部に形成され、この前止まり部は、リテーナに対して後方から係止する構成としてもよい。
このような構成によると、ゴム栓の前止まりを行う前止まり部を利用してリテーナに対して後方から係止させることができる。
【００１１】
端子に設けられ、貫通孔の端部開口からケースの内部に突出する機器側接続片と、機器側接続片を遊挿状態で挿通させる端子挿通孔を有し、貫通孔の端部開口に装着されるカバーとを備えた構成としてもよい。
このような構成によると、端子挿通孔の開口縁によって機器側接続片を支持できるため、機器側接続片の先端が下がって機器側の端子台に干渉することを防ぐことができる。
【発明の効果】
【００１２】
本発明によれば、端子のアライニングとコネクタの小型化を両立させることができる。
【図面の簡単な説明】
【００１３】
【図１】機器用コネクタがケースの取付孔に取り付けられた状態を側方から見た断面図
【図２】ハウジングにカバーを装着する前の機器用コネクタを側方から見た断面図
【図３】機器用コネクタの正面図
【図４】カバーを装着する前の機器用コネクタの正面図
【図５】リテーナの正面図
【図６】図５におけるＡ−Ａ線断面図
【発明を実施するための形態】
【００１４】
＜実施形態＞
本発明の実施形態を図１ないし図６の図面を参照しながら説明する。本実施形態における機器用コネクタ１０は、例えばインバータ装置（本発明の「機器」の一例）に取り付けられるコネクタである。この機器用コネクタ１０は、バッテリ（図示せず）からインバータ装置に電力を供給する電線２０の端末に接続されている。なお、インバータ装置自体は図示はしないものの、インバータ装置は、シールド機能を有する金属製のケース３０の内部に収容されている。
【００１５】
電線２０は、複数の金属素線を合わせてなる芯線２０Ａと、この芯線２０Ａを覆う絶縁性の被覆２０Ｂとから構成された被覆電線を複数有している。これらの被覆電線は一括して編組線Ｓによって覆われている。すなわち、電線２０は、複数の被覆電線が編組線Ｓで一括して覆われてなる一括シールド電線である。
【００１６】
ケース３０は、図１に示すように、ケース本体３１、ケース本体３１の上部に開口する上部開口を塞ぐ上部カバー３２などを備えて構成されている。ケース本体３１の側壁には、取付孔３３が貫通して設けられている。取付孔３３は、ケース本体３１の側壁を貫通してケース本体３１の外部側に突出する嵌合筒部３４の内周面によって構成されている。ケース３０の内部には、端子台３５が配設されている。
【００１７】
電線２０の端末には、端子２１が接続されている。端子２１は、プレス加工により打ち抜き加工や折り曲げ加工などが行われることによって形成されている。端子２１の一端側には、平板状をなす機器側接続片２２が形成されている。機器側接続片２２は、板厚方向に貫通するボルト孔２３を有している。端子２１は、ボルト孔２３に接続ボルトＢ１を貫通し、接続ボルトＢ１を端子台３５に螺合することによってインバータ装置側と導通可能に接続されている。機器側接続片２２の基端部には、電線２０の芯線２０Ａをかしめ付けるバレル部２４が形成されている。
【００１８】
機器用コネクタ１０は、合成樹脂製のハウジング１１を有している。ハウジング１１の内部には、複数の端子遊挿孔（本発明の「貫通孔」の一例）１２が貫通して形成されている。各端子遊挿孔１２には、各端子２１が遊挿可能とされている。各端子遊挿孔１２は、それぞれ区画壁１３によって区画されている。なお、以下の説明においては、端子遊挿孔１２の軸方向を前後方向としてケース３０の内部側を前側としケース３０の外部側を後側とする。
【００１９】
ハウジング１１は、大きく分けて、ケース３０の内部に配置された内部ハウジング４０と、ケース３０の外部に配置された外部ハウジング５０とによって構成されている。まず、内部ハウジング４０の構成について説明する。内部ハウジング４０は、取付孔３３に嵌合する嵌合部４１を有している。嵌合部４１の内部には、複数の端子２１の略後半部を個別に収容する端子収容孔１２Ａが形成されている。嵌合部４１の外周面には、装着溝４２が凹設されている。この装着溝４２には、シールリング６０が嵌着されている。
【００２０】
シールリング６０は、可撓性を有するゴム製である。装着溝４２に嵌着されたシールリング６０は、嵌合部４１の軸方向に位置決め状態で抜け止めされる。嵌合部４１を取付孔３３に嵌合させると、シールリング６０は、装着溝４２と取付孔３３の内周面とに密着する。これにより、嵌合部４１と嵌合筒部３４との間からケース３０の内部に水が浸入することが規制される。
【００２１】
次に、外部ハウジング５０の構成について説明する。外部ハウジング５０は、円筒状をなす複数の電線収容孔１２Ｂを有している。これらの電線収容孔１２Ｂは、各端子２１に接続された各電線２０を個別に収容している。すなわち、前記した端子遊挿孔１２は、端子収容孔１２Ａと電線収容孔１２Ｂとから構成され、端子収容孔１２Ａとこれに対応する電線収容孔１２Ｂは、互いに連通している。
【００２２】
電線収容孔１２Ｂの後端開口には、ゴム栓６１が装着されている。ゴム栓６１は、シールリング６０と同様に可撓性を有するゴム製である。ゴム栓６１は軸孔を有し、この軸孔に電線２０が挿通される。さらに、ゴム栓６１は、電線２０とともに電線収容孔１２Ｂに挿入されると、電線２０の外周面と電線収容孔１２Ｂの内周面とに密着する。これにより、電線２０の外周面と電線収容孔１２Ｂの内周面との間からケース３０の内部に水が浸入することが規制される。
【００２３】
ゴム栓６１の後側には、ゴム栓６１の後方への抜けを防ぐゴム栓押さえ６２が装着されている。ゴム栓押さえ６２の外周面には、複数の保持部６３が径方向外側に突出して設けられている。一方、電線収容孔１２Ｂの内周面には、保持部６３に対して後方から係止可能な撓み係止片５２が撓み可能に設けられている。保持部６３が撓み係止片５２に係止することにより、ゴム栓押さえ６２の後方への移動が規制され、ゴム栓６１の後方への抜けが規制される。
【００２４】
電線収容孔１２Ｂの内周面には、ゴム栓６１の前止まりを行う複数の前止まり部５４が設けられている。前止まり部５４は、周方向に間欠的に配置されている。ゴム栓６１は、前止まり部５４の後端部によって前方への移動が規制されている。したがって、電線２０を電線収容孔１２Ｂに対して前後方向に抜き差ししても、電線２０とともにゴム栓６１が前後方向に移動することはない。なお、前止まり部５４と電線２０の外周面との間には、所定の隙間が形成されている。
【００２５】
外部ハウジング５０には、シールド機能を有する金属製のシールドシェル７０が装着可能とされている。シールドシェル７０は、外部ハウジング５０の外周を包囲する筒部７１、嵌合筒部３４の上面に固定される固定部７２などを一体に備えて構成されている。
【００２６】
筒部７１は、断面横長の長孔形状をなす円筒状に形成されている。筒部７１の後端には、内周側に張り出すフランジ部７３が周設されている。このフランジ部７３によって囲まれた部分は、外部ハウジング５０を一括して挿通させる挿通孔とされている。この挿通孔も横長の長孔形状をなしている。
【００２７】
フランジ部７３の上縁と下縁には、それぞれロック部５１が係止可能とされている。ロック部５１は、外部ハウジング５０の上下両面に設けられている。筒部７１を外部ハウジング５０の外周に嵌合すると、両ロック部５１が両フランジ部７３に対して内周側から係止する。これにより、シールドシェル７０が外部ハウジング５０に固定される。
【００２８】
複数の電線２０は、編組線Ｓによって一括してシールドされている。編組線Ｓの端末は、筒部７１の外周面に被せられ、さらにその外周から編組線Ｓを覆うようにしてかしめリング８０が圧着されている。これにより、ケース３０の内部から編組線Ｓの内部に亘る空間を漏れなく一括してシールドすることが可能となる。
【００２９】
固定部７２は、嵌合筒部３４の上面に沿う形態をなしている。この嵌合筒部３４の上面に沿う部分には、ボルト孔が開口している。シールドシェル７０は、前記ボルト孔に固定ボルトＢ２を貫通し、固定ボルトＢ２を嵌合筒部３４の上部に螺合することによってケース３０に固定されている。
【００３０】
さて、本実施形態では、電線２０の被覆２０ＢがリテーナＲによって固定されている。リテーナＲは、図５に示すように、ドーナツ形をなし、上下一対の半割体Ｒ１を組み付けた構成である。両半割体Ｒ１の合わせ面には、図示はしないものの、互いに嵌合し合う凹凸部が形成されている。これにより、リテーナＲは、両半割体Ｒ１を組み付けた状態に保持できるようになっている。リテーナＲの中央には、保持孔Ｈが形成されており、保持孔Ｈを構成する内周面には、上下一対の保持突起Ｈ１が突出して設けられている。上側の保持突起Ｈ１は上側の半割体Ｒ１に配置され、下側の保持突起Ｈ１は下側の半割体Ｒ１に配置されている。
【００３１】
リテーナＲの上下両端部には、図６に示すように、上下一対の抜止凹部Ｃが保持孔Ｈ側に凹んで形成されている。一方、電線収容孔１２Ｂの内周面には、図１に示すように、上下一対の抜止突起（本発明の「第１係止部」の一例）５３が電線収容孔１２Ｂの軸心側に突出して設けられている。リテーナＲが電線収容孔１２Ｂに挿入されると、両抜止突起５３が両抜止凹部Ｃが嵌り込む。抜止突起５３の後端面は、上下に切り立った垂直面とされており、この面と係止する抜止凹部Ｃの後端面も、上下に切り立った垂直面とされている。このため、両抜止突起５３が両抜止凹部Ｃに対して前方から係止し、リテーナＲは前方へ抜け止めされる。なお、抜止突起５３の前面は、緩やかな傾斜面とされているため、リテーナＲを装着する際に、リテーナＲが抜止突起５３の前面に乗り上げ可能とされている。
【００３２】
また、両抜止突起５３が両抜止凹部Ｃが嵌り込んだ状態では、リテーナＲの後端面が前止まり部５４の前端部（本発明の「第２係止部」の一例）に接触する。リテーナＲの後端面は、上下に切り立った垂直面とされており、この面と係止する前止まり部５４の前端部も、上下に切り立った垂直面とされている。このため、前止まり部５４がリテーナＲに対して後方から係止し、リテーナＲは後方へ抜け止めされる。
【００３３】
さらに、リテーナＲの保持孔Ｈの径寸法は、電線２０の被覆２０Ｂの径寸法よりもやや小さめとされている。このため、両半割体Ｒ１，Ｒ２で電線２０の被覆２０Ｂを挟持した上でリテーナＲを電線収容孔１２Ｂに挿入すると、保持突起Ｈ１が被覆２０Ｂに食い込むとともに、被覆２０Ｂが保持孔Ｈの内周面から径方向内側に力を受けて電線２０全体がやや縮径される。これにより、リテーナＲは、電線２０の被覆２０Ｂに固定される。そして、リテーナＲ自身は、電線収容孔１２Ｂの内部で前後両方向に抜け止めされるため、リテーナＲの保持孔Ｈに対する電線２０の相対的な移動が規制される。
【００３４】
電線２０においてリテーナＲの固定位置は、バレル部２４よりも後方とされており、リテーナＲとバレル部２４との間において電線２０は撓み可能である。したがって、電線２０の芯線２０Ａに接続された端子２１は、遊動可能である。これにより、機器側接続片２２を端子台３５に対して接続ボルトＢ１で接続した際に、機器側接続片２２に過大な力がかかることを規制できる。つまり、端子２１のアライニングができる。
【００３５】
ここで、機器側接続片２２を何ら支持しない場合には、機器側接続片２２の自重によって機器側接続片２２の前端が下方に傾いてしまう。これでは、機器用コネクタ１０をケース３０に取り付ける際に、機器側接続片２２の前端が端子台３５に衝突してしまう。そこで、本実施形態ではカバー９０を設けており、このカバー９０によって機器側接続片２２の下方への傾きを規制している。
【００３６】
カバー９０は、端子収容孔１２Ａの外形にほぼ適合する形態とされており、図示しないロック手段を内部ハウジング４０に係止させることにより、カバー９０が端子収容孔１２Ａの前端開口に固定されている。また、カバー９０において機器側接続片２２と対向する位置には、機器側接続片２２を挿通させる端子挿通孔９１が形成されている。機器側接続片２２は、端子挿通孔９１を通ってケース３０の内部に突出している。端子挿通孔９１は、機器側接続片２２よりも一回り大きめとされている。このため、端子２１のアライニングを確保しつつも機器側接続片２２が下方に傾くことを規制できる。したがって、機器用コネクタ１０をケース３０に取り付ける際に、機器側接続片２２が端子台３５に衝突することを回避できる。
【００３７】
カバー９０は、図１に示すように、端子２１の外周に沿って後方に延びるガイド部９２を備えている。このガイド部９２は、カバー９０を端子収容孔１２Ａの前端開口に対して前方から装着する際に、端子２１の機器側接続片２２を端子挿通孔９１に案内する機能を有している。このため、ガイド部９２の内壁上面９２Ａと端子挿通孔９１の内壁上面９１Ａとは面一とされている。したがって、機器側接続片２２を端子挿通孔９１に挿通させる際には、機器側接続片２２をガイド部９２の内壁上面９２Ａに接触させながらカバー９０を端子収容孔１２Ａの前端開口に装着すればよい。
【００３８】
本実施形態は以上のような構成であって、続いて機器用コネクタ１０の取付手順の一例を説明する。図１に示すように、電線２０には、ゴム栓押さえ６２、ゴム栓６１、シールドシェル７０、ハウジング１１などが先通しされる。この状態から、電線２０における露出された芯線２０Ａに対して、端子２１のバレル部２４をかしめ圧着することで、端子２１が電線２０に対して電気的に接続された状態で固定される。続いて、筒部７１とかしめリング８０との間で編組線Ｓの端末を挟んでかしめ圧着することにより、編組線Ｓがシールドシェル７０に対して電気的に接続された状態で固定される。
【００３９】
次に、バレル部２４から所定距離だけ後方にて被覆２０Ｂを両半割体Ｒ１で挟み付け、保持孔Ｈの部分で被覆２０Ｂを圧着する。両半割体Ｒ１の合わせ面同士が接触する位置まで圧着すると、両保持突起Ｈ１が被覆２０Ｂに突き刺さり、被覆２０Ｂがやや縮径する。
【００４０】
一方、ハウジング１１側においては、装着溝４２内に、シールリング６０が嵌着される。それとともに、ハウジング１１に対して後方からシールドシェル７０が装着され、筒部７１が外部ハウジング５０に外嵌されるとともにフランジ部７３がロック部５１に係止して固定される。また、外部ハウジング５０の後方からゴム栓６１およびゴム栓押さえ６２を電線収容孔１２Ｂに挿入し、保持部６３を撓み係止片５２に係止させることでゴム栓押さえ６２が固定される。
【００４１】
このようにシールドシェル７０などが組み付けられたハウジング１１に対し、先通しされた電線２０を相対的に後方へ引っ張りながら移動させることにより、リテーナＲが電線２０とともに端子遊挿孔１２に前方から収容される。ここで、リテーナＲの外周形状は、電線収容孔１２Ｂの孔形状とほぼ同じかこれよりやや小さめとされているため、リテーナＲを電線収容孔１２Ｂに挿入すると、両半割体Ｒ１によって被覆２０Ｂが圧着された状態に保持される。そして、リテーナＲとともに電線２０を電線収容孔１２Ｂに対して前方から挿入していくと、リテーナＲの後端部が両抜止突起５３を乗り越えつつ両抜止突起５３が両抜止凹部Ｃに嵌り込む。これにより、リテーナＲは、両抜止突起５３によって前方に抜け止めされるとともに、前止まり部５４によって後方に抜け止めされる。したがって、電線２０の前後方向の移動は規制される。
【００４２】
次に、端子収容孔１２Ａの前端開口に対して前方からカバー９０を装着する。この装着に際しては、端子２１の機器側接続片２２を端子挿通孔９１に通しつつ図示しないロック手段によってカバー９０を内部ハウジング４０に固定させる。これにより機器側接続片２２は、端子挿通孔９１から前方に突出することになるものの、機器側接続片２２と端子挿通孔９１の開口縁との間には所定の隙間が設定されているため、機器側接続片２２は遊動可能である。
【００４３】
こうして機器用コネクタ１０の組み付けが完了したら、内部ハウジング４０の嵌合部４１をケース３０の取付孔３３に挿入する。嵌合部４１を取付孔３３に挿入すると、図１に示すように、ハウジング１１に装着されたシールドシェル７０の固定部７２が嵌合筒部３４の上面に沿って配置され、固定ボルトＢ２を固定部７２のボルト孔を通して嵌合筒部３４の上面にねじ込むことによってシールドシェル７０およびハウジング１１がケース３０に固定される。
【００４４】
この結果、機器側接続片２２は端子台３５の上面に沿って配置され、端子２１のボルト孔２３に接続ボルトＢ１を通して端子台３５のボルト孔にねじ込むことにより、端子２１が端子台３５に対して電気的に接続された状態で固定される。このとき、機器側接続片２２は遊動可能とされているから、接続ボルトＢ１の締め込みに伴って機器側接続片２２が正規の取付姿勢に矯正される。したがって、機器側接続片２２に過大な負荷がかかることはない。
【００４５】
このとき、ケース３０、シールドシェル７０、および編組線Ｓは電気的に接続された状態となり、これらによって電線２０、端子２１などがシールドされる。また、取付孔３３と嵌合部４１との間にはシールリング６０が装着され、電線収容孔１２Ｂと電線２０との間にはゴム栓６１が装着されているため、ケース３０内のシールを図ることができる。さらに、ハウジング１１にランスを設けなくてもよく、この結果、機器側接続片２２にランス係止孔を設けなくてもよいから、ハウジング１１を小型化できる。すなわち、端子２１のアライニング機能を確保しつつも、ハウジング１１を小型化することができる。
【００４６】
以上のように本実施形態では、電線２０の被覆２０ＢにリテーナＲを固定し、このリテーナＲをハウジング１１に固定したから、電線２０をハウジング１１に対して前後方向に抜け止めできる。つまり、従来のようにランスやランス係止孔を設けなくてもよく、ハウジング１１を小型化できる。また、電線２０自身の可撓性によって端子２１を遊動可能に支持できるから、端子２１のアライニングが可能である。したがって、本実施形態によれば、端子２１のアライニングと機器用コネクタ１０の小型化を両立させることができる。
【００４７】
また、両抜止突起５３をハウジング１１と一体に成形し、この抜止突起５３をリテーナＲに対して前方から係止させるという簡易な構成をとることができる。また、ゴム栓６１の前止まりを行う前止まり部５４を利用して端子２１の抜け止めを行っているから、ハウジング１１の構成を複雑にしなくてもよい。
【００４８】
＜他の実施形態＞
本発明は上記記述及び図面によって説明した実施形態に限定されるものではなく、例えば次のような実施形態も本発明の技術的範囲に含まれる。
（１）上記実施形態では端子遊挿孔１２が端子収容孔１２Ａと電線収容孔１２Ｂとからなる構成としているものの、本発明によると、円筒状をなす単一の収容孔によって端子遊挿孔１２を構成してもよい。
【００４９】
（２）上記実施形態では端子収容孔１２Ａと電線収容孔１２Ｂとが前後方向に並んで配置されているものの、本発明によると、端子収容孔１２Ａと電線収容孔１２ＢとがＬ字状をなして直角に配置され、これらの孔１２Ａ，１２ＢにＬ字形の端子が収容されていてもよい。
【００５０】
（３）上記実施形態ではインバータ装置に取り付けられた機器用コネクタ１０に適用しているものの、本発明によると、モータに取り付けられた機器用コネクタに適用してもよい。
【００５１】
（４）上記実施形態ではリテーナＲ側に抜止凹部Ｃを設け、ハウジング１１側に抜止突起５３を設けているものの、本発明によると、リテーナＲ側に抜止突起を設け、ハウジング１１側に抜止凹部を設けてもよい。
【００５２】
（５）上記実施形態では前止まり部５４を利用してリテーナＲの後方への抜け止めを行っているものの、本発明によると、前止まり部５４を設けることなく、リテーナＲによってゴム栓６１の前止まりを行うとともに、ゴム栓６１およびゴム栓押さえ６２によってリテーナＲの後方への抜け止めを直接行ってもよい。
【００５３】
（６）上記実施形態では端子収容孔１２Ａの前端開口において端子挿通孔９１を除く全ての部分がカバーによって覆われているものの、本発明によると、少なくとも端子挿通孔９１の開口縁によって機器側接続片２２を支持する構成であればよく、必ずしも端子収容孔１２Ａの前端開口を覆わなくてもよい。
【００５４】
（７）上記実施形態では一対の半割体Ｒ１からなるリテーナＲを例示しているものの、本発明によると、一対の半割体Ｒ１がヒンジで連結された一体型のリテーナを用いて被覆２０Ｂを固定してもよい。
【符号の説明】
【００５５】
１０…機器用コネクタ
１１…ハウジング
１２…端子遊挿孔（貫通孔）
２０…電線
２０Ａ…芯線
２０Ｂ…被覆
２１…端子
２２…機器側接続片
３０…ケース
５３…抜止突起（第１係止部）
５４…前止まり部（第２係止部）
６１…ゴム栓
９０…カバー
９１…端子挿通孔
Ｒ…リテーナ
【図１】
2010225371.tif 000003
【図２】
2010225371.tif 000004
【図３】
2010225371.tif 000005
【図４】
2010225371.tif 000006
【図５】
2010225371.tif 000007
【図６】
2010225371.tif 000008